(57)【要約】      （修正有）【課題】台車本体の表面を有効に利用して様々な内容の広告表示を行うことが可能で、しかも広告表示のための表示物の取り替えが容易な遊技用運搬台車を提供する。【解決手段】パチンコ玉あるいはスロットマシーン用コインを運ぶのに用いられる遊技用運搬台車であって、台車本体１の側面に広告表示部２を有しており、広告表示部２は、その左右に形成された差込穴に透明シート４をその両端部を差し込んで取り付け、さらに、透明シート４と側面との間に情報シート５を挟んで保持することにより、情報シート５の表面に記載された内容が透明シート４を透過して視認できるようにしたものである。【選択図】図１
0003133018.tif 000002
【実用新案登録請求の範囲】
【請求項１】
パチンコ玉あるいはスロットマシーン用コインを運ぶのに用いられる遊技用運搬台車であって、台車本体（１）の側面に広告表示部（２）を有しており、前記広告表示部（２）は、その左右に形成された差込穴（３）（３）に透明シート（４）をその両端部（４ａ）（４ｂ）を差し込んで取り付け、さらに、透明シート（４）と前記側面との間に情報シート（５）を挟んで保持することにより、情報シート（５）の表面に記載された内容が透明シート（４）を透過して視認できるようにしたものであることを特徴とする遊技用運搬台車。
【請求項２】
パチンコ玉あるいはスロットマシーン用コインを運ぶのに用いられる遊技用運搬台車であって、台車本体（１）の側面に広告表示部（２）を有しており、前記広告表示部（２）は、その左右に形成された差込穴（３）（３）に透明シート（４）をその両端部（４ａ）（４ｂ）を差し込んで取り付け、さらに、透明シート（４）と前記側面との間に情報シート（５）を挟んで保持することにより、情報シート（５）の表面に記載された内容が透明シート（４）を透過して視認できるようにしており、そして、前記側面の下側には透明シート（４）及び情報シート（５）を下から支える支持部（１２）を有していることを特徴とする遊技用運搬台車。
【請求項３】
パチンコ玉あるいはスロットマシーン用コインを運ぶのに用いられる遊技用運搬台車であって、台車本体（１）の側面に広告表示部（２）を有しており、前記広告表示部（２）は、その左右に形成された差込穴（３）（３）に透明シート（４）をその両端部（４ａ）（４ｂ）を差し込んで取り付け、さらに、透明シート（４）と前記側面との間に情報シート（５）を挟んで保持することにより、情報シート（５）の表面に記載された内容が透明シート（４）を透過して視認できるようにしており、前記広告表示部（２）を設けた側面の部分は内側に凹んだ部分であり、その左右両側の隆起した部分（１３）（１３）に前記差込穴（３）（３）が形成され、そして、下側の隆起した部分を透明シート（４）及び情報シート（５）を下から支える支持部（１２）としていることを特徴とする遊技用運搬台車。
【考案の詳細な説明】
【技術分野】
【０００１】
この考案は、パチンコ台やスロットマシーンのような遊技用機械が置かれている遊技店で、パチンコ玉あるいはスロットマシーン用コイン（スロットマシーン用メダル）を運ぶのに用いられる遊技用運搬台車に関するものである。
【背景技術】
【０００２】
従来、パチンコ店のような遊技店でパチンコ玉を運ぶのに使われる遊技用運搬台車としては、特許文献１の図１に記載のような、パチンコ玉を入れたパチンコ玉箱が載置される車輪付きの台車本体と、台車本体の後部に取り付けられた台車移動用把手とを備えたものがある。
【０００３】
近年、各種商品の表面等のスペースを利用して、様々な内容の広告表示を行うことが試みられているが、遊技用運搬台車に関しては、広告表示を行うためのスペースを設けるための構成上の工夫は特に行われていなかった。
【０００４】
遊技用運搬台車において、広告表示を行うとすれば、広告表示のためのプレートや紙等の表示物を接着剤で台車本体の表面に貼り付けることが考えられるが、それでは広告表示を剥がすと接着剤の跡が残るなどの問題があり、表示物の取り替えが容易ではない。
【特許文献１】第３１２１２０２号登録実用新案公報
【考案の開示】
【考案が解決しようとする課題】
【０００５】
そこで、この考案は、台車本体の表面を有効に利用して様々な内容の広告表示を行うことが可能で、しかも広告表示のための表示物の取り替えが容易な遊技用運搬台車を提供することを課題とする。
【課題を解決するための手段】
【０００６】
上記課題を解決するため、この考案に係る遊技用運搬台車は、パチンコ玉あるいはスロットマシーン用コインを運ぶのに用いられる遊技用運搬台車であって、台車本体１の側面に広告表示部２を有しており、前記広告表示部２は、その左右に形成された差込穴３，３に透明シート４をその両端部４ａ，４ｂを差し込んで取り付け、さらに、透明シート４と前記側面との間に情報シート５を挟んで保持することにより、情報シート５の表面に記載された内容が透明シート４を透過して視認できるようにしたものとしている。
【０００７】
また、前記側面の下側には透明シート４及び情報シート５を下から支える支持部１２を有しているものとすることができる。
【０００８】
さらに、前記広告表示部２を設けた側面の部分は内側に凹んだ部分であり、その左右両側の隆起した部分に前記差込穴３，３が形成され、そして、下側の隆起した部分を透明シート４及び情報シート５を下から支える支持部１２としているものとすることができる。
【考案の効果】
【０００９】
この考案に係る遊技用運搬台車は、上述のような構成を有しており、遊技用運搬台車における台車本体１の表面を有効に利用して様々な内容の広告表示を行うことが可能で、しかも広告表示のための表示物（情報シート５）の取り替えが容易となっている。
【００１０】
また、前記側面の下側に透明シート４及び情報シート５を下から支える支持部１２を有しているものとすれば、透明シート４及び情報シート５が安定した状態で保持される。
【００１１】
さらに、前記広告表示部２を設けた側面の部分は内側に凹んだ部分であり、その左右両側の隆起した部分に前記差込穴３，３が形成され、そして、下側の隆起した部分を透明シート４及び情報シート５を下から支える支持部１２としているものとすれば、広告表示部２が突出せず、透明シート４及び情報シート５が安定した状態で保持され、何かに接触したりして透明シート４及び情報シート５が脱落するようなことが防止される。
【考案を実施するための最良の形態】
【００１２】
以下、この考案の好適な実施形態を、図面を参照して説明する。
【００１３】
図１は本実施形態に係る遊技用運搬台車を上面側から見た斜視図、図２はその裏面側を示す底面図、図３はその広告表示部を設けた側面を示す正面図、図４は広告表示部の分解状態を示す説明図である。
【００１４】
この遊技用運搬台車は、パチンコ台やスロットマシーンのような遊技用機械が置かれているパチンコ店等において、パチンコ玉あるいはスロットマシーン用コイン（以下、「パチンコ玉等」という）を運ぶのに用いられる遊技用運搬台車であって、台車本体１の側面に広告表示部２を有しており、前記広告表示部２は、その左右に形成された差込穴３，３に透明シート４をその両端部４ａ，４ｂを差し込んで取り付け、さらに、透明シート４と前記側面との間に情報シート５を挟んで保持することにより、情報シート５の表面に記載された内容が透明シート４を透過して視認できるようにしたものである。
【００１５】
台車本体１は、略長方形の上壁１ａと、その４辺に垂直方向に設けられた第１側壁１ｂ（進行方向前側）、第２側壁１ｃ（進行方向後側）、第３側壁１ｄ（進行方向左側）、第４側壁１ｅ（進行方向右側）の各側壁１ｂ〜１ｅを有するもので、耐衝撃性を有するプラスチック製であり、上壁１ａや各側壁１ｂ〜１ｅは強度を確保するためなどから、一定の厚みを有している。
【００１６】
また、台車本体１には、上面の四隅近傍のそれぞれの裏面側の位置に、３６０度方向変更が可能な左右一対の前輪６，６と、前後方向の向きに固定された左右一対の後輪７，７が取り付けられている。これら前輪６，６及び後輪７，７は、全て下端が台車本体１の各側壁１ｂ〜１ｅの下端より幾分下方側に突出していて、台車本体１が床に置かれた時には、台車本体１の各側壁１ｂ〜１ｅの下端が床面に接触することなく、前輪６，６と後輪７，７だけで床面に接触する。
【００１７】
一方、この遊技用運搬台車は、図１に示したように、台車本体１の後側に、取り外し可能に取り付けられる台車移動用の逆Ｕ字状把手８を備えることが可能になっている。逆Ｕ字状把手８を台車本体１に取り付けるには、逆Ｕ字状把手８の両端を台車本体１の後端部表面に設けられた把手取付用孔９に差し込む。作業者は、逆Ｕ字状把手８を掴んだまま押し引きすることにより、台車本体１を容易に走行させられる。逆Ｕ字状把手８を台車本体１から取り外すには、逆Ｕ字状把手８の両端を把手取付用孔９から引き抜く。もっとも、この逆Ｕ字状把手８は必ずしも必要なものではなく、なくてもよい。
【００１８】
他方、台車本体１の第１側壁１ｂと第２側壁１ｃには、それぞれ作業者が指を掛けられる横長形の指掛け用貫通孔１０，１０が設けられている。したがって、指掛け用貫通孔１０，１０のいずれか一方に、作業者が指を掛けて押したり引いたりすることによっても、台車本体１を容易に走行させられる。
【００１９】
また、両方の指掛け用貫通孔１０，１０に作業者が同時に左右の手の指を掛けて引き上げるだけで、台車本体１を簡単に持ち上げ、速やかに移動させることもできる。もっとも、指掛け用貫通孔１０，１０は側壁１ｂ〜１ｅのどの位置に設けられていてもよく、指を掛け易い位置であればよい。
【００２０】
台車本体１は、裏側に開放空間を有していると共に、上面から底部にかけて各側壁１ｂ〜１ｅの位置が徐々に拡がる末拡がり状に形成されていて、特許文献１に記載の遊技用運搬台車と同様に、逆Ｕ字状把手８を取り外した状態で、台車本体１に、複数台の別の台車本体１を被せるようにして積み重ねられる構成とされている。
【００２１】
さらに、図１に示すように上壁１ａには、台車本体１に別の台車本体１を被せて重ねた時に、別の台車本体１の前輪６，６・後輪７，７に対応する位置に、略円形状の凹み１１が４箇所設けられていて、台車本体１に別の台車本体１を被せて重ねた時に、別の台車本体１の前輪６，６・後輪７，７が、下の台車本体１の凹み１１に嵌まり込むようになっている。
【００２２】
このように、台車本体１に別の台車本体１を被せて重ねた時に、別の台車本体１の車輪が下方に位置する台車本体１の凹み１１に嵌まり込む構成であれば、台車本体１に別の台車本体１を被せて重ねた時に、別の台車本体１の前・後輪７，７が下の台車本体１でつかえて嵩高になるのを回避できる結果、台車本体１に別の台車本体１をきっちり被せられる。
【００２３】
上述した実施形態の遊技用運搬台車を用いてパチンコ玉等を運ぶ場合は、パチンコ玉等が入った箱を上壁１ａの上面に載せて、台車本体１を走行させる。
【００２４】
広告表示部２は、台車本体１の進行方向左側の側面（第３側壁１ｄの表面）の中央部に設けられた略長方形の領域としている。広告表示部２を設けた側面の部分は、内側に凹んだ部分であり、その左右両側の隆起した部分１３，１３に前記差込穴３，３が形成され、そして、下側の隆起した部分を透明シート４及び情報シート５を下から支える支持部１２としている。
【００２５】
図示した台車本体１においては、図１にあらわれているように、各側壁１ｂ〜１ｅの上端部分とその下方の部分との間に段差を設け、下方の部分を外方に突出させたものとしており、第３側壁１ｄの前記下方の部分に広告表示部２を設けたものとしている。なお、広告表示部２は、側壁１ｂ〜１ｅのいずれに設けてもよい。また、必ずしも側面に段差を設ける必要はなく、側面全体を広告表示部２のために利用してもよい。
【００２６】
透明シート４及び情報シート５を下から支える支持部１２は、広告表示部２のように凹まずに、広告表示部２の左方（前輪６，６側）、右方（後輪７，７側）の部分１３，１３の表面に連続しており、凹んだ広告表示部２に対して隆起したものとなっている。図示した台車本体１における支持部１２は、上面が幅５ｍｍ程度の水平面となっている。
【００２７】
広告表示部２の左右に位置する差込穴３，３は、広告表示部２に対して隆起したその左右両側の部分１３，１３の端部（傾斜面）に設けられた細い縦長のスリット状であり、第３側壁１ｄを貫通している。
【００２８】
情報シート５は、広告表示部２に対してやや小さめの長方形のシート状のものとしている。情報シート５の材質は、紙やプラスチック等とすることができる。情報シート５は縦方向の長さを差し込み穴３，３より長くして差し込み穴３，３から抜け落ちないようにするとよい。情報シート５の表面には、新商品に関する情報その他、パチンコに関連するか否かを問わず、様々な情報を記載することができる。
【００２９】
透明シート４は、広告表示部２に対して、横方向が長く、縦方向がほぼ同じ長さのシート状のものとしている。透明シート４の材質は、透明性があり、柔軟性ないし可撓性を有するプラスチック製のものとすることができる。透明シート４は、つや消し加工したものや、低反射性を付与したもの、着色したものであってもよい。
【００３０】
透明シート４は、その左右各端部４ａ，４ｂが前記各差込穴３，３に挿入されることにより台車本体１に取り付けられる。透明シート４は、図４にあらわれているように、左右の各上端の角部を欠けた形状にして、欠けた部分を除く上端部の横方向の長さが広告表示部２の横方向の長さと略一致したものとし、さらに、両端部４ａ，４ｂを除く部分の縦方向の長さが、差込穴３，３の縦方向の長さよりも長くなるようにしている。この構成により、透明シート４の左右各端部４ａ，４ｂを差込穴３，３に挿入させると、広告表示部２のほぼ全域を透明シート４が覆うとともに、差込穴３，３から透明シート４が勝手に抜け落ちないようになっている。
【００３１】
広告表示部２の情報シート５は、様々な種類のものを作成して随時取り替えることができる。情報シート５を取り替えるには、透明シート４と側面１ｄとの間に挟まれている情報シート５を抜いて、別の情報シート５と入れ替えるだけでよいので、極めて簡単に作業を行うことができる。
【００３２】
また、透明シート４の上端部を指で摘んだり、たわませたりして、左右両端部４ａ，４ｂを差込穴３，３から抜いて透明シート４を取り外し、情報シート５を別の情報シート５に取り替えて側面１ｄに接触させ支持部１２に載せた状態で、再び透明シート４を装着することにより情報シート５を取り替えることもでき、この方法によっても極めて簡単に作業を行うことができる。
【００３３】
しかも、前記広告表示部２を設けた部分の左右両側の部分１３，１３、及び下側の支持部１２は、広告表示部２に対して隆起した部分であるため、広告表示部２が突出せず、透明シート４及び情報シート５が安定した状態で保持され、何かに接触したりして透明シート４及び情報シート５が脱落することが防止される。
【００３４】
なお、この考案は、上述の実施形態の構成に限定されるものではなく、前記広告表示部２を設けた部分を内側に凹んだ部分とせず、突出した部分としたり、前記支持部１２を設けない構成としたり等、素材、形状、寸法等を適宜変更して実施することができる。
【図面の簡単な説明】
【００３５】
【図１】本考案に係る一実施形態の遊技用運搬台車を上面側から見た斜視図。
【図２】本考案に係る一実施形態の遊技用運搬台車の裏面側を示す底面図。
【図３】本考案に係る一実施形態の遊技用運搬台車の広告表示部を設けた側面を示す正面図。
【図４】本考案に係る一実施形態の遊技用運搬台車の広告表示部の分解状態を示す説明図。
【符号の説明】
【００３６】
１  台車本体
２  広告表示部
３  差込穴
４  透明シート
５  情報シート
１２  支持部
１３  広告表示部の左右両側の隆起した部分
【図１】
0003133018.tif 000003
【図２】
0003133018.tif 000004
【図３】
0003133018.tif 000005
【図４】
0003133018.tif 000006